(57)【要約】【課題】従来の鼻腔用器具では、排出された液体が、鼻腔から、鼻の下の皮膚に沿って流れ出すため、衛生的に鼻腔内に液体を保持することができないという課題があった。【解決手段】鼻腔用器具は、吸水性を有する吸水体１と、吸水体１の吸水した液体を排出する液体排出構造２とを備えており、吸水体１は、吸水体の吸水した液体を、液体排出構造２に導出する導出部１１を備えている。液体排出構造２は、管状の部材である管状部材２１を有しており、吸水体１の導出部１１は、一部が管状部材２１内に配置されている。【選択図】図１
2006334121.tif 000002
【特許請求の範囲】
【請求項１】
吸水性を有する吸水体と、
前記吸水体が吸水した液体を排出する液体排出構造とを備えた鼻腔用器具。
【請求項２】
前記液体排出構造は、管状の部材である管状部材を有していることを特徴とする請求項１記載の鼻腔用器具。
【請求項３】
前記吸水体は、当該吸水体の吸水した液体を、前記液体排出構造に導出する導出部を備え、前記導出部は、少なくとも一部が前記管状部材内に配置される請求項２記載の鼻腔用器具。
【請求項４】
前記導出部の幅は、前記吸水体の幅よりも狭いことを特徴とする請求項３記載の鼻腔用器具。
【請求項５】
前記吸水体は、鼻腔内に挿入可能であり、
前記導出部は、前記吸水体の導出部以外の部分を鼻腔内に挿入した状態で、鼻腔内に接しない請求項３または請求項４いずれか記載の鼻腔用器具。
【請求項６】
前記管状部材の端部が、前記吸水体と接していないことを特徴とする請求項２から請求項５いずれか記載の鼻腔用器具。
【請求項７】
前記液体排出構造は、
前記管状部材内に一部が配置された棒状の部材である棒状部材をさらに備え、
前記吸水体は、前記棒状部材の端部の少なくとも一部を覆うように設けられている請求項１から請求項６いずれか記載の鼻腔用器具。
【請求項８】
前記棒状部材は、中空であり、上端に開口部を有していることを特徴とする請求項７記載の鼻腔用器具。
【請求項９】
前記吸水体は、上部に開口部を有し、
当該開口部は、前記棒状部材の開口部に連通している請求項８記載の鼻腔用器具。
【請求項１０】
前記吸水体は、前記棒状部材の前記吸水体側の端部から前記棒状部材の内壁に沿って配置された、当該吸水体の吸水した液体を、前記棒状部材の内部に導出する第二導出部を備えた請求項８または請求項９いずれか記載の鼻腔用器具。
【請求項１１】
前記棒状部材は、前記吸水体を貫通している請求項８記載の鼻腔用器具。
【請求項１２】
前記液体排出構造は、前記管状部材内に排出された液体を受ける液体受容部を備えた請求項１から請求項１１いずれか記載の鼻腔用器具。
【請求項１３】
前記吸水体は、液体を吸水している請求項１から請求項１２いずれか記載の鼻腔用器具。
【請求項１４】
前記液体は、電解質を含む請求項１３記載の鼻腔用器具。
【請求項１５】
前記液体は、薬液である請求項１３または請求項１４いずれか記載の鼻腔用器具。
【発明の詳細な説明】
【技術分野】
【０００１】
本発明は、主として人間の鼻腔内に挿入して利用する鼻腔用器具に関する。
【背景技術】
【０００２】
人間の鼻腔内に、液状の薬品等を保持するための鼻腔用器具として、薬品をしみこませた不織布等の通気性のよい材料からなる円柱状の鼻孔栓がある。（例えば、特許文献１参照）。
【特許文献１】特開２００４−２４８０３号公報（第１頁、第１図等）
【発明の開示】
【発明が解決しようとする課題】
【０００３】
しかしながら、このような鼻腔用器具においては、鼻腔用器具を鼻に詰めるときの圧力により、しみこませた薬液が絞り出されて外部に排出されたり、鼻腔から排出される鼻汁等によって鼻腔用器具が保持できなくなってあふれた液体が、外部に排出される。そして、このように鼻腔用器具から排出された液体が、鼻腔から、鼻の下の皮膚に沿って流れ出してしまう結果、流れ出した液体が口に入ったり、皮膚に沿って排出された液体により、皮膚や、衣服等を汚してしまったり、鼻の下の皮膚を痛めたりしてしまうという課題があった。
【課題を解決するための手段】
【０００４】
本発明にかかる鼻腔用器具は、吸水性を有する吸水体と、前記吸水体が吸水した液体を排出する液体排出構造とを備えたものである。
かかる構成により、鼻腔内に挿入した状態で、吸水体の吸水した液体を、皮膚等に触れないように排出させることができる。
【０００５】
また、前記鼻腔用器具において、前記液体排出構造は、管状の部材である管状部材を有しているものである。
かかる構成により、吸水体の吸水した液体を、皮膚等に触れないように排出させることができるとともに、吸水体を鼻腔内に挿入した状態で動いても、排出中の液が飛び散ることがない。
【０００６】
また、前記鼻腔用器具において、前記吸水体は、当該吸水体の吸水した液体を、前記液体排出構造に導出する導出部を備え、前記導出部は、少なくとも一部が前記管状部材内に配置されるものである。
かかる構成により、例えば、吸水体の液体が、吸水性の優れない棒状部材等と接触して垂れてしまうことを防ぐことができ、吸水体の液体をこぼすことなく効率よく排出することが可能となる。
【０００７】
また、前記鼻腔用器具において、前記管状部材の端部が、前記吸水体と接していないようにしたものである。
かかる構成により、吸水体の液体が、管状部材の端部から管状部材の外部に沿って流れたり、垂れたりすることを防ぐことができる。
【０００８】
また、前記鼻腔用器具において、前記液体排出構造は、前記管状部材内に一部が配置された棒状の部材である棒状部材をさらに備え、前記吸水体は、前記棒状部材の端部の少なくとも一部を覆うように設けられているものである。
かかる構成により、吸水体の強度を補強できるとともに、吸水体の位置を棒状部材を固定することで固定可能となる。
【０００９】
また、前記鼻腔用器具において、前記棒状部材は、中空であり、上端に開口部を有しているようにしたものである。
かかる構成により、棒状部材の内部を通じて、液体や空気の注入や排出が可能となる。
【００１０】
また、前記鼻腔用器具において、前記吸水体は、上部に開口部を有し、当該開口部は、前記棒状部材の開口部に連通しているものである。
かかる構成により、棒状部材の内部と通じて鼻による呼吸が可能となる。
【００１１】
また、前記鼻腔用器具において、前記吸水体は、前記棒状部材の前記吸水体側の端部から前記棒状部材の内壁に沿って配置された、当該吸水体の吸水した液体を、前記棒状部材の内部に導出する第二導出部を備えたものである。
かかる構成により、棒状部材内に吸水体の吸水した液体を排出可能となる。
【００１２】
また、前記鼻腔用器具において、前記棒状部材は、前記吸水体を貫通しているものである。
かかる構成により、棒状部材を通じて鼻による呼吸が可能となる。
【００１３】
また、前記鼻腔用器具において、前記液体排出構造は、前記管状部材内に排出された液体を受ける液体受容部を備えたものである。
かかる構成により、吸水体から排出された液体をまとめて排出することが可能となる。このため、吸水体から液体排出構造により、液体を排出しながら、他の動作を行うことが可能となる。
【００１４】
また、前記吸水体は、液体を吸水しているものである。
かかる構成により、鼻腔内を長時間にわたって湿潤環境に保ったり、鼻炎等の症状を長時間にわたって緩和させることができる。
【発明の効果】
【００１５】
本発明による鼻腔用器具によれば、鼻腔内から外部に排出される液体を、皮膚に触れないように排出して、衛生的に鼻腔内に液体を保持することが可能となる。
【発明を実施するための最良の形態】
【００１６】
以下、鼻腔用器具等の実施形態について図面を参照して説明する。なお、実施の形態において同じ符号を付した構成要素は同様の動作を行うので、再度の説明を省略する場合がある。
【００１７】
（実施の形態１）
図１は、本実施の形態による鼻腔用器具の斜視図である。また、図２は、図１に示す鼻腔用器具のＩＩ−ＩＩ線による断面図である。本実施の形態にかかる鼻腔用器具は、吸水体１と液体排出構造２とを備えている。吸水体１は、導出部１１を備えている。液体排出構造２は、管状部材２１、棒状部材２２、棒状部材保持部２３、液体受容部２４とを備えている。
【００１８】
吸水体１は、吸水性を有している。吸水体の材料は、吸水性を有していれば、どのようなものであってもよい。例えば、吸水体の材質は、織布や、不織布、綿等の繊維であってもよいし、紙等であってもよい。また、海綿体や、吸水性を有するゲル等であってもよい。また、吸水体１は、単一の材料で構成されていても、複数の材料で構成されていてもよい。例えば、吸水体１の中心部と、周辺部とで、材料が異なっていてもよい。吸水体の材料としては、鼻腔の粘膜を傷つけず、なおかつ吸水性のよい、丸めた綿や、何重にも巻き付けたガーゼ等が好適である。吸水体１は鼻腔内に挿入可能である。吸水体１の大きさおよび形状は、鼻腔内に挿入可能な大きさおよび形状であれば、どのような大きさおよび形状であってもよい。例えば、吸水体１は、円柱形状や、球形、卵形等の回転体であってもよいし、多面体であってもよい。また、吸水体１が伸縮性や弾性を有している場合、吸水体１の挿入前の大きさは、鼻腔内の大きさよりも大きくてもよい。ただし、鼻腔内に挿入した状態で、鼻腔内から抜け落ちにくい大きさおよび形状であることが好ましく、また、吸水体１の形状および大きさは、鼻腔の内部の形状および大きさにあった形状および大きさであることが好ましい。本実施の形態においては、一例として綿を棒状部材２２の端部に巻き付けたものを用いた場合について説明する。吸水体１には、予め、液体が吸水されていてもよいし、必要に応じて吸水させるようにしてもよい。吸水体１の吸水する液体は、鼻腔内の環境を、所定の環境、例えば鼻炎等の症状が発生しにくい環境に保ったり、鼻炎等の症状を緩和させたり、鼻炎や、鼻腔内の傷等を治療することが可能な環境に保つことができる液体であれば、どのようなものであってもよい。例えば、液体が、鼻腔内を湿潤環境に保つための蒸留水等の水であってもよい。また、生理食塩水等の、電解質を含む液体であってもよい。また、鼻炎や、鼻腔内の傷等を治療するために用いられる液体、例えば、液状の薬や薬品を溶かした液体である薬液であってもよい。具体的には、液体は、花粉症の症状を緩和するための、抗ヒスタミン薬などを含む液体であってもよく、このような薬品を吸水体１に浸水させて、鼻腔内に配置することで、花粉症による鼻の不快感を緩和させることが可能となる。なお、吸水体１に吸水させる液体は、鼻腔に入れた際に、液体がしみることのないように、浸透圧を体液と同程度に調整したものであることが好ましい。また、この液体には、鼻腔から分泌される鼻汁等の液体も含まれる。吸水体１の大きさは、この鼻腔用器具を利用するユーザの鼻孔の大きさや、吸水体１の素材により適宜変更可能である。
【００１９】
導出部１１は、吸水体１の下部の部分を構成しており、吸水体１の吸水した液体を、液体排出構造２に導出する。導出部１１の一部、具体的には下部は、管状部材２１内に配置される。導出部１１は、吸水体１の他の部分と同様に吸水性を有する。導出部１１の材料は、吸水体１の他の部分と同じ材料であっても、異なる材料であってもよいが、吸水体１の他の部分と同等の吸水性、もしくは吸水体１の他の部分よりも高い吸水性を有する材料を用いることが好ましい。導出部１１の形状および大きさは問わない。ただし、導出部１１の大きさおよび形状は、吸水体１を鼻腔内に挿入したときに、導出部１１が鼻腔や、鼻の下の皮膚等に触れないことが好ましく、このような大きさおよび形状であることが好ましい。したがって、導出部１１の幅は、吸水体１の他の部分よりも幅が狭いことが好ましい。導出部１１の、管状部材２１内に位置する部分の長さは、３ｍｍ以上あることが、吸水体の液体を、管状部材２１内に導出する上で好ましい。
【００２０】
液体排出構造２は、吸水体１の吸水した液体を排出する。液体排出構造２は、吸水体１の吸水した液体が鼻腔内から、鼻腔外の皮膚に触れずに排出できれば、どのような構造を有していてもよい。
【００２１】
管状部材２１は、管状の部材であり、吸水体１の下方に配置されている。ここでは、特に、管状部材２１は、吸水体１の導出部１１の少なくとも一部を囲むように配置されている。すなわち、導出部１１の少なくとも一部は、管状部材２１内に配置されている。具体的には導出部１１の少なくとも下部を含む部分が、管状部材２１内に配置されている。管状部材２１の形状および大きさは、具体的には、その管内に、吸水体１が吸水した液体を排出できる形状および大きさであればよい。ここでは、導出部１１が管内に配置可能な大きさおよび形状とする。管状部材２１の内面に導出部１１が接していてもよいが、管状部材２１の端部は、図１に示すように、導出部１１も含め、吸水体１と接していないことが好ましい。これは、吸水体１の液体の一部が、吸水体１と管状部材２１の端部とが接している箇所から、管状部材２１の外側を伝って流れ出すことを防ぐためである。なお、管状部材２１の端部とは、管状部材２１の端の近傍の部分を指す。ここでは、端部は、管状部材２１の端から約２ｍｍまでの部分が好適である。管状部材２１の断面形状は、どのような形状であってもよく、例えば、円形形状や楕円形状であっても、多角形形状であってもよい。また、管状部材２１の太さは、均一でなくてもよい。例えば、端部に近づくにつれて、太さが太くなってもよいし、太さが細くなってもよい。管状部材２１の材質は、金属や、プラスチックや、ゴムや、ビニール、内壁に防水加工を施した紙や繊維等、どのような材料であってもよい。ただし、管状部材２１の材質は、内壁を液体が流れやすく、かつ液体を吸水しにくい材料であることが好ましい。また、管状部材２１は、透明であっても半透明であっても、不透明であってもよい。また、管状部材２１はゴム管やビニールチューブのように柔軟性を有するものであっても柔軟性を有さないものであってもよい。なお、管状部材２１の材料として、柔軟性を有するものを用いることで、液体の排出先をユーザが自由に変更することが可能となる。管状部材２１の太さは、通常、吸水体１の太さよりも細いことが好ましい。一例としては、大人用であれば、最大径が５ｍｍから１２ｍｍまでの範囲であることが好ましく、子供用であれば、最大径が４ｍｍから８ｍｍまでの範囲であることが好ましい。
【００２２】
棒状部材２２は、棒状の部材であり、管状部材２１内に一部が配置されている。吸水体１は、棒状部材２２の端部の一方の少なくとも一部を覆うように設けられている。この棒状部材２２は、吸水体１の強度を補っており、吸水体１を鼻腔内に挿入する際に、吸水体１が曲がらないようにすることができる。また、ここでは、この棒状部材２２と後述する棒状部材保持部２３とにより、吸水体１と管状部材２１との位置を固定している。棒状部材の材料は、紙や、繊維、木、プラスチック、金属等、吸水体１よりも強度が保てる材料であれば、どのような材料であるかは問わない。また、棒状部材２２の形状はどのような形状であってもよい。例えば円柱状であっても、角柱状であってもよい。また、棒状部材２２の太さは、この棒状部材２２を管状部材２１に配置した状態で、吸水体１から導出される液体を、管内に流すことが可能であり、かつ導出部１１が、管状部材２１の端部に接しないような太さであればよい。また、棒状部材２１は、凹凸や、切り込みや、溝等を有していてもよい。また、棒状部材２１は曲がっていてもねじれていてもよい。また、棒状部材２２の長さは、管状部材の２１の長さよりも長くても短くてもよい。なお、上述した導出部１１は、棒状部材２２の一部のみに設けられていてもよいし、棒状部材２２全体を覆うように設けられっていてもよい。
【００２３】
棒状部材保持部２３は、棒状部材２２を管状部材２１内の所定の位置に保持するための部材である。ここでは、棒状部材保持部２３は、管状部材２１のほぼ中央に棒状部材２２が位置するよう棒状部材２２を保持している。この棒状部材保持部２３は、管状部材２１の上部から流れてくる液体を、管状部材２１の下部に流せるような形状を有していることが好ましい。ここでは、棒状部材保持部２３は、棒状部材２２の一部に巻き付けられたスパイラル状のプラスチック製の部材であり、上部から流れてくる液体は、このスパイラル状の部材に沿って下部に流れていく。この棒状部材保持部２３の材料は、金属、プラスチック、紙等、どのようなものであってもよい。なお、棒状部材保持部２３は、棒状部材２２を管状部材２１内の所定の位置に保持でき、かつ、管状部材２１の上部から流れてくる液体を下部に流すことができる部材であればどのような部材であってもよい。例えば、棒状部材２２にはめ込まれた、管状部材２１の内径とほぼ同径の、穴の開いたリング状の部材であってもよい。また、棒状部材保持部２３は、棒状部材２２の外周に沿って設けられた３以上の突起であってもよい。また、棒状部材保持部２３は、管状部材２１に内壁に沿って設けられた３以上の突起であってもよい。
【００２４】
液体受容部２４は、管状部材２１内に排出された液体を受ける。液体受容部２４は、液体を受けることができ、その液体を溜めることができるものであれば、どのような形状を有していてもよい。また、液体受容部２４は、溜めた液体を排出する構造を有していてもよい。ここでは、液体受容部２４として、蛇腹部２４１を有する管状のものを、管状部材２１の端部に取り付けている。この液体受容部２４は、蛇腹部２４１において、液体受容部２４の端部を上方に曲げることにより、この曲げた部分に液体が受けられ、液体を溜めることができる。また、この蛇腹をのばして、液体受容部２４の端部を下方に向けることで、液体受容部２４に溜められた液体を排出することができる。液体受容部２４の材料は、プラスチックや金属、ビニール等、液体を受けることができるものであれば、どのような材料であってもよい。また、液体受容部２４は、管状部材２１と一体成形されたものであってもよい。また、液体受容部２４は、管状部材２１に対してはめ込むためのネジ等の、管状部材２１に対して着脱可能な構造を有していてもよい。また、液体受容部２４の形状等はビニール袋等の袋状のものであってもよい。また、液体受容部２４は、管状部材２１から排出される液体を受容する必要がない場合、省略してもよい。
【００２５】
図３は、鼻腔用器具を使用している状態を説明するための断面図である。例えば生理食塩水等の液体を吸収させた吸水体１が、鼻腔３内に挿入されている。吸水体１を配置する位置は、鼻腔３内のどの位置でもよく、用途等にあわせて変更すればよい。鼻腔の奥の部分、例えば、上鼻道や、中鼻道、下鼻道に、吸水体が接するように吸水体１を配置してもよいし、鼻腔の手前の部分、例えば鼻前庭と呼ばれる部分に吸水体１を配置してもよい。例えば、吸水体１による鼻粘膜への刺激を避けるためには、吸水体１を鼻前庭に配置することが好適である。なお、吸水体１を鼻腔３内に挿入した状態で、管状部材２１が鼻腔３に接触しないような位置となるように、管状部材２１の配置を調整しておくことが好ましい。管状部材２１が鼻腔３に接触すると、鼻腔３から排出される鼻汁が、管状部材２１の外部に沿って流れ出すことが考えられるからである。なお、吸水体１を鼻前庭に配置するのであれば、吸水体１の太さは、例えば、最も太い部分が、大人用であれば、９ｍｍから１５ｍｍまでの範囲であることが好ましく、子供用であれば、最大径が５ｍｍから９ｍｍまでの範囲であることが好ましい。また、吸水体１の導出部１１を除いた部分の高さは、例えば、大人用であれば、１０ｍｍか２５ｍｍまでの範囲であることが好ましく、子供用であれば、７ｍｍから１０ｍｍまでの範囲であることが好ましい。
【００２６】
まず、鼻腔用器具の吸水体１を鼻腔に挿入する際、吸水体１が鼻腔等により押されて、吸水体１の吸水していた液体全てを、吸水体１が保持できなくなり、液体が吸水体１からあふれようとする。吸水体１からあふれようとした液体は、鼻腔３内で吸水体１から排出されず、吸水体１と同等、もしくはそれ以上の吸水性を有する導出部１１を浸透して、管状部材２１の内部に導き出される。そして、液体は、管状部材２１内において、液体排出構造２の管状部材２１の内面や、棒状部材２２を伝って液体受容部２４まで排出され、液体受容部２４に溜められる。
【００２７】
また、同様に、鼻腔用器具の吸水体１を鼻腔３内に挿入した状態で時間が経過すると、鼻汁等が発生し、吸水体１から液体があふれようとするが、このような液体も、液体排出構造２により排出され、液体受容部２４に溜められる。
液体受容部２４に溜められた液体は、液体受容部２４の蛇腹部２４１をのばすことで、容易に、外部に排出することができる。
【００２８】
以上、本実施の形態においては、吸水体１の導出部１１により、吸水体１の液体を、液体排出構造２の管状部材２１の内部に導出し、この導出された液体を、管状部材２１の内部を通じて、排出するようにしたので、吸水体１の液体が鼻腔３内から、鼻の下の皮膚等に流れ出すことを防ぐことができる。これにより、鼻腔内から外部に排出される液体を、皮膚に触れないように排出して、衛生的に鼻腔内に液体を保持することが可能となる。
【００２９】
また、吸水体１に液体を吸水させておくことにより、鼻腔３内に、液体を保持することができるとともに、鼻腔３内に排出された鼻汁等を、液体排出構造２から、排出することが可能である。
【００３０】
従って、例えば、鼻炎を緩和するためには鼻腔３内を湿潤環境に保つことが考えられるが、単に、生理食塩水を吸水させた綿球等を鼻腔３内に挿入した場合、時間の経過とともに、鼻炎の症状の一つである多量の鼻汁の発生により、鼻汁が綿球からあふれ出し、鼻の下の皮膚に沿って流れ出すこととなる。このため、綿球を頻繁に取り替えたり、鼻から流れ出した液体を頻繁に拭き取る必要があり、長時間の使用や、他の作業をしながらの使用が、困難である。
【００３１】
しかしながら、本実施の形態においては、鼻腔用器具の吸水体１に生理食塩水を吸水させて鼻腔３内に配置することで、鼻腔３内を湿潤環境に保つことが可能となるとともに、鼻汁を液体排出構造２から排出することで、鼻腔３から鼻汁が流れ出すことがなく、また、鼻汁による皮膚の汚れ等を抑えることができ、長時間の使用や、他の作業を行いながらの使用が可能となる。
【００３２】
なお、本実施の形態において、鼻腔用器具の液体受容部は、複数回折り曲げた管状の構造を有する液体受容部であってもよい。例えば、鼻腔用器具の液体受容部は、図４に示すようなビニール管等を複数回折り曲げた液体受容部４１であってもよい。このように液体受容部を折り曲げることで、鼻腔用器具の全体の長さを小さくして、取り扱いを容易にすることができる。かかることは他の実施の形態においても同様である。
【００３３】
また、本実施の形態において、左右の鼻腔用の鼻腔用器具の液体受容部同士を一つの容器としてもよい。例えば、鼻腔用器具が、図５に示すように、左右の鼻腔用の鼻腔用器具の管状部材２１を、液体受容部５１の２つの挿入口５２に差し込んだ構造であってもよい。また、鼻腔用器具を左右の鼻腔用の鼻腔用器具の管状部材２１を結合して、その結合した部分を液体受容部として、液体を溜められるようにしてもよいし、鼻腔用器具の管状部材同士をＹ字形状のビニール管等で結合して、１つの液体受容部と結合するようにしてもよい。かかることは他の実施の形態においても同様である。
【００３４】
また、本実施の形態において鼻腔用器具が、口、あるいは口および鼻を覆うマスクを備えており、このマスクの内側に、鼻腔用器具全体あるいは一部が取り付けられているようにしてもよい。例えば、図６に示すように、鼻腔用器具全体が、口および鼻を覆うマスク６１の内側に、取り付けられているようにしてもよい。鼻腔用器具を図６に示すような構成とすることにより、鼻腔内に鼻腔用器具を、他人に知られないようにすることができる。かかることは他の実施の形態においても同様である。
【００３５】
また、本実施の形態において、鼻腔用器具の吸水体は、導出部と導出部以外の部分とが段差を有しているような形状の吸水体であってもよい。例えば、図７に示すように導出部７１と導出部７１以外の部分とが段差を有しているような断面形状の吸水体７０であってもよい。この吸水体７０は、ここでは一例として、ガーゼを棒状部材２２に巻き付けて成型したものである。かかることは他の実施の形態においても同様である。
【００３６】
また、本実施の形態において、鼻腔用器具の吸水体は、所定幅の帯状の形状を有していてもよい。例えば、図１９に示すように、吸水体１９０１が帯状の帯状部１９０２を有していてもよい。この吸水体１９０１は、例えば、帯状のガーゼを棒状部材２２に巻き付けて成型するとともに、そのガーゼの一部を、棒状部材２２に巻き付けずに、帯状部１９０２とすることにより実現可能である。このような構成とすることで、吸水体１９０１の帯状部材１９０２を、鼻腔内の奥の方に挿入することが可能である。この帯状部材１９０１は一本であってもよいし、複数であってもよい。また、帯状部材１９０１の材料は、吸水体１９０１に利用できる材料であれば、どのような材料であってもよい。かかることは他の実施の形態においても同様である。
【００３７】
また、本実施の形態において、吸水体の液体を、皮膚等に触れずに排出可能であれば、管状部材の代わりの部材を用いるようにしてもよい。例えば、図８に示すような樋形状の部材８１を用いるようにしてもよい。ただし、この場合、鼻腔用器具を利用する場合、部材８１が、導出部１１から導出される液体を受けることのできる位置にくるようにする必要がある。かかることは他の実施の形態においても同様である。
【００３８】
また、本実施の形態において、図９に示すように、導出部を有さない吸水体９１を用いるようにしてもよい。この場合、吸水体９１からあふれた液体が、棒状部材２２を伝って、管状部材２１に流れ込むこととなる。ただし、上述した本実施の形態においては、導出部１１の吸水性を利用して、管状部材２１に吸水体１の液体を導出することで、吸水体１の液体がこぼれずに管状部材２１に流れ込むことが可能であるが、図９のように導出部を有さない場合、吸水体９１の液体が、吸水性の少ない棒状部材２２に接した時点で、水滴化してしまい、管状部材２１に流れ込む前に、一部こぼれてしまうことが考えられる。このため、導出部を設けた構造の鼻腔用器具の方が、吸水体の液体を排出する上でより優れた効果を得ることができる。かかることは他の実施の形態においても同様である。
【００３９】
また、本実施の形態においては、鼻腔用器具が、図１０に示すように、棒状部材を有さないようにしてもよい。この場合、吸水体１０００の導出部１００１の一部に管状部材２１にはめ込むことのできる形状、例えば、径が、管状部材２１の内径と同程度となるような形状を有する固定部１００２を設けるようにし、この固定部１００２を管状部材２１内にはめ込むことで、吸水体１０００の位置を固定すればよい。このような構成とすることで、棒状部材を省略して、構成を簡略化することが可能となる。かかることは他の実施の形態においても同様である。
【００４０】
（実施の形態２）
本実施の形態２による鼻腔用器具は、前記実施の形態における鼻腔容器具において、棒状部材として、中空の棒状部材を用いるようにしたものである。
【００４１】
図１１は本実施の形態による鼻腔用器具の斜視図である。また、図１２は、図１１の図ＸＩＩ−ＸＩＩ線による断面図である。また、図１３は、図１１の主要部の拡大図である。本実施の形態による鼻腔用器具は、吸水体１１０１と液体排出構造１１０２とを備えている。吸水体１１０１は、導出部１１、および第二導出部１１１２を備えている。液体排出構造１１０２は、管状部材２１、棒状部材１１２２、棒状部材保持部２３、および液体受容部２４とを備えている。
【００４２】
吸水体１１０１は、上部に、後述する棒状部材１１２２の開口部１１２２３に連通する開口部１１０１２を有している点、および第二導出部１１１２を備えている点を除いた部分については、上記実施の形態１と同様であり、詳細な説明は省略する。また、導出部１１の構成は、上記実施の形態１と同様であるので、説明は省略する。
【００４３】
第二導出部１１１２は、吸水体１１０１の上部の開口部１１０１２から、棒状部材１１２２の開口部１１２２３を経て、棒状部材１１２２の内壁に沿って配置された吸水性を有する材料から構成されている。第二導出部１１１２は、図１３に示すように、棒状部材１１２２の内面の上部だけに設けられていてもよいし、内面の全体に設けられていてもよい。第二導出部１１１２の材料等は、前記実施の形態１において説明した導出部１１と同様であるので、説明は省略する。
【００４４】
液体排出構造１１０２の管状部材２１、棒状部材保持部２３、および液体受容部２４の構成については、前記実施の形態と同様であるので、ここでは説明を省略する。
【００４５】
棒状部材１１２２は、上述した棒状部材２２において、内部を中空として、その上端に開口部１１２２３、下端に開口部１１２２４を有するようにするとともに、上端の開口部１１２２３が、吸水体１１０１上部の開口部１１０１２に連通しているようにしたものである。これ以外の構成については、前記棒状部材と同様であるので説明を省略する。
【００４６】
図１４は、本実施の形態にかかる鼻腔用器具を使用している状態を説明するための断面図である。例えば生理食塩水等の液体を吸収させた吸水体１１０１が、鼻腔３内に挿入されている。
【００４７】
鼻腔用器具の吸水体１１０１が、吸水していた液体を保持できなくなると、液体が吸水体１１０１からあふれようとする。吸水体１１０１からあふれようとした液体は、上述した実施の形態１と同様に、鼻腔３内で吸水体１１０１から排出されず、吸水体１１０１と同等、もしくはそれ以上の吸水性を有する導出部１１を伝って、管状部材２１の内部に導き出され、管状部材２１内において、液体排出構造２の管状部材２１の内面や、棒状部材１１２２の外壁を伝って液体受容部２４まで排出され、液体受容部２４に溜められる。本実施の形態にいては、さらに、吸水体１１０１からあふれようとした液体は、吸水体１１０１の上部の開口部１１０１２から、吸水体１１０１と同等、もしくはそれ以上の吸水性を有する第二導出部１１１２を浸透して、棒状部材１１２２の内部に導出される。そして、棒状部材１１２２の内部を経て、液体受容部２４に溜められる。
【００４８】
以上、本実施の形態においては、吸水体１１０１の導出部１１により、吸水体１１０１の液体を、液体排出構造１１０２の管状部材２１の内部に導出し、この導出された液体を、管状部材２１の内部を通じて、排出するようにしたので、吸水体１１０１の液体が鼻腔３内から、鼻の下の皮膚等に流れ出すことを防ぐことができる。これにより、鼻腔内から外部に排出される液体を、皮膚に触れないように排出して、衛生的に鼻腔内に液体を保持することが可能となる。
【００４９】
また、吸水体１１０１に液体を吸水させておくことにより、鼻腔３内に排出された鼻汁等を、液体排出構造１１０２から、排出させながら、鼻腔３内に、液体を保持することができる。これにより、鼻腔３内に長時間液体を保持することが可能となる。
【００５０】
さらに、本実施の形態においては、吸水体１１０１の第二導出部１１１２により、吸水体１１０１の液体を、棒状部材１１２２の上部の開口部１１２２３から、棒状部材１１２２の内部に導出し、この導出された液体を、棒状部材１１２２の内部を通じて、排出するようにしたので、より効率よく吸水体１１０１の液体を排出させることが可能となる。
【００５１】
さらに、本実施の形態においては、棒状部材１１２２の内部が中空であるとともに、吸水体１１０１の上部の開口部と連通する開口部１１２２３と、開口部１１２２４とを有しているため、棒状部材１１２２の内部を通して鼻による呼吸がしやすくなる。
【００５２】
なお、本実施の形態において、棒状部材１１２２の内部を通じて、鼻腔内に薬液等の液体を供給したり排出したりすることが可能である。例えば、図１５に示すように、棒状部材１１２２の下部の開口部１１２２４にスポイト１５０１を取り付け、これらを操作することにより、開口部１１２２４から、棒状部材１１２２の内部を通じて、鼻腔３内に液体を注入したり、鼻腔３内の液体を除去したりすることが可能である。スポイトの代わりに、注射器や、ポンプの注入口等を取り付けるようにしてもよい。このような場合においても、鼻腔３内に注入する液体が多くても、あふれた液体は、液体排出構造１１０２により、鼻の下の皮膚等を汚すことなく、鼻腔の外部に排出することが可能である。
【００５３】
また、本実施の形態において、図１６に示すように、棒状部材１１２２が吸水体１１０１を貫通するようにしてもよい。このような構成とすることで、棒状部材１１２２の内部を通して鼻による呼吸がしやすくなる。
【００５４】
また、棒状部材１１２２の端部の、吸水体１１０１により覆われている側面に、図１７の一部切り欠き図に示すように、１以上のスリット１７０１を設けるようにしてもよい。このようなスリット１７０１を設けることで、このスリット１７０１を通して、吸水体１１０１の液体をより効率よく棒状部材１１２２の内部を通して排出できる。また、棒状部材１１２２の内部に、図１６に示したように液体を注入した場合、これらのスリット１７０１を通して、液体を、直接、吸水体１１０１に補充することが可能となる。なお、スリットの代わりに、１以上の穴が棒状部材１１２２の端部の側面に設けられていてもよい。
【００５５】
また、本実施の形態において、図１８に示すように、吸水体の上部に開口部１１０１２を設けないようにしてもよい。このような構成とすることで、棒状部材１１２２の内部を通して鼻による呼吸を行うことは多少困難となるが、棒状部材１１２２の内部から、吸水体１１０１に液体を補充したり、吸水体１１０１の液体を、第二導出部１１１２により、棒状部材１１２２の内部に導出して、吸水体１１０１の液体を、棒状部材１１２２の内部を通して排出することができる。
また、本発明は、以上の実施の形態に限定されることなく、種々の変更が可能であり、それらも本発明の範囲内に包含されるものであることは言うまでもない。
【産業上の利用可能性】
【００５６】
本発明にかかる鼻腔用器具は、鼻腔内に挿入して利用する鼻腔用器具として適しており、特に、電解質を有する液体や、薬液等を、鼻腔内に保持する鼻腔用器具として有用である。
【図面の簡単な説明】
【００５７】
【図１】本実施の形態１にかかる鼻腔用器具の斜視図
【図２】同断面図
【図３】同断面図
【図４】同変形例を示す図
【図５】同変形例を示す図
【図６】同変形例を示す図
【図７】同変形例を示す図
【図８】同変形例を示す図
【図９】同変形例を示す図
【図１０】同変形例を示す図
【図１１】本実施の形態２にかかる鼻腔用器具の斜視図
【図１２】同断面図
【図１３】同主要部の断面図
【図１４】同断面図
【図１５】同変形例を示す図
【図１６】同変形例を示す図
【図１７】同変形例を示す図
【図１８】同変形例を示す図
【図１９】本実施の形態１にかかる鼻腔用器具の変形例を示す図
【符号の説明】
【００５８】
１、７０、９１、１０００、１１０１、１９０１  吸水体
２、１１０２  液体排出構造
３  鼻腔
１１、７１、１００１  導出部
２１  管状部材
２２、１１２２  棒状部材
２３  棒状部材保持部
２４、４１、５１  液体受容部
５２  挿入口
６１  マスク
８１  部材
２４１  蛇腹部
１００２  固定部
１１１２  第二導出部
１５０１  スポイト
１７０１  スリット
１９０２  帯状部
１１０１２、１１２２３、１１２２４  開口部
【図１】
2006334121.tif 000003
【図２】
2006334121.tif 000004
【図３】
2006334121.tif 000005
【図４】
2006334121.tif 000006
【図５】
2006334121.tif 000007
【図６】
2006334121.tif 000008
【図７】
2006334121.tif 000009
【図８】
2006334121.tif 000010
【図９】
2006334121.tif 000011
【図１０】
2006334121.tif 000012
【図１１】
2006334121.tif 000013
【図１２】
2006334121.tif 000014
【図１３】
2006334121.tif 000015
【図１４】
2006334121.tif 000016
【図１５】
2006334121.tif 000017
【図１６】
2006334121.tif 000018
【図１７】
2006334121.tif 000019
【図１８】
2006334121.tif 000020
【図１９】
2006334121.tif 000021